【手続補正書】
【提出日】平成16年8月13日(2004.8.13)
【手続補正１】
【補正対象書類名】明細書
【補正対象項目名】特許請求の範囲
【補正方法】変更
【補正の内容】
【特許請求の範囲】
【請求項１】
サーバ装置と通信端末とがネットワークを通じて接続され、前記通信端末は、前記サーバ装置と協働することにより、相手方を指定した情報の送信を行う情報通信方法であって、
前記通信端末は、前記相手方に送信する情報を前記サーバ装置に送信し、
前記サーバ装置は、前記通信端末からの情報に広告を付加して、前記通信端末により指定された相手方に送信することを特徴とする情報通信方法。
【請求項２】
請求項１に記載の情報通信方法において、
前記通信端末は、前記相手方に送信される情報に広告の付加を許容するかどうかに関する広告許可制御情報を、前記送信する情報に付加して前記サーバ装置に送信し、
前記サーバ装置は、前記広告許可制御情報に基づいて、前記通信端末により指定された相手方に送信する情報に、広告を付加するか否かを決定することを特徴とする情報通信方法。
【請求項３】
前記通信端末とサーバ装置との間では、前記相手方を指定した情報の送信のための既定の通信方式に関係なく、前記ネットワークに適合する予め定められた通信プロトコルおよび通信データ形式で送信情報の送信を行い、
前記既定の通信方式に適合する前記相手方への情報送信のための処理は、前記サーバ装置で行うようにすることを特徴とする請求項１または請求項２に記載の情報通信方法。
【請求項４】
前記相手方に送信される情報は、電子メールであることを特徴とする請求項１に記載の情報通信方法。
【請求項５】
前記通信端末は、携帯無線通信端末であり、前記通信端末と前記サーバ装置とは前記ネットワークを通じて無線接続されることを特徴とする請求項１〜請求項４のいずれかに記載の情報通信方法。
【請求項６】
請求項５に記載の情報通信方法において、
前記通信端末は、無線式の電話機能をも備える携帯無線通信端末であり、前記ネットワークには、前記無線式の電話のネットワークが含まれることを特徴とする情報通信方法。
【請求項７】
サーバ装置と通信端末とがネットワークを通じて接続され、前記通信端末は、前記サーバ装置と協働することにより、相手方を指定した情報の送信を行う情報通信システムであって、
前記通信端末は、
前記サーバ装置に対して接続要求を送出して、前記ネットワークを通じて前記サーバ装置と接続するサーバ接続手段と、
使用者による相手方を指定した発信操作を受付ける発信操作受付手段と、
前記発信操作受付手段で前記発信操作が受け付けられたときに、送信すべきデータを、前記サーバ接続手段によって接続した前記サーバ装置に対して、前記ネットワークに適合する通信方式で、前記ネットワークを介して送出する送信手段と、
を備え、
前記サーバ装置は、
前記通信端末からの接続要求を受けて、前記通信端末と前記ネットワークを通じて接続する接続手段と、
前記通信端末から、送信されてくる送信情報に広告を付加して、前記通信端末により指定された相手方に送信する送信実行手段と、
を備えることを特徴とする情報通信システム。
【請求項８】
前記通信端末は、前記相手方に送信される情報に広告の付加を許容するか否かに関する広告許可制御情報を、前記送信する情報に付加する手段を備え、
前記サーバ装置は、前記広告許可制御情報に基づいて、前記通信端末により指定された相手方に送信する情報に広告を付加するか否かを決定する手段を備えることを特徴とする請求項７に記載の情報通信システム。
【請求項９】
前記通信端末とサーバ装置との間では、前記相手方を指定した情報の送信のための既定の通信方式に関係なく、前記ネットワークに適合する予め定められた通信プロトコルおよび通信データ形式で送信情報の授受を行い、
前記既定の通信方式に適合する前記相手方への情報送信のための処理手段を、前記サーバ装置が備えることを特徴とする請求項７または請求項８に記載の情報通信システム。
【請求項１０】
前記送信情報は、所定の画像圧縮方式で圧縮された画像データであることを特徴とする請求項８に記載の情報通信システム。
【請求項１１】
前記通信端末は、携帯無線通信端末であり、前記通信端末と前記サーバ装置とは前記ネットワークを通じて無線接続されることを特徴とする請求項７〜請求項１０のいずれかに記載の情報通信システム。
【請求項１２】
請求項１１に記載の情報通信システムにおいて、
前記通信端末は、無線式の電話機能をも備える携帯無線通信端末であり、前記ネットワークには、前記無線式の電話のネットワークが含まれることを特徴とする情報通信システム。
【請求項１３】
ネットワークを通じてサーバ装置と接続され、このサーバ装置と協働することにより、相手方を指定した情報の送信を行う通信端末であって、
前記相手方に送信される情報に広告の付加を許容するか否かに関する指示の指示入力手段と、
前記指示入力手段で入力された指示に応じて、前記広告の付加を許容するか否かに関する広告許可制御情報を、前記相手方に送信する情報に付加して前記サーバ装置に送信する送信手段と、
を備えることを特徴とする通信端末。
【請求項１４】
請求項１３に記載の通信端末において、前記サーバ装置との間では、前記相手方を指定した情報の送信のための既定の通信方式に関係なく、前記ネットワークに適合する予め定められた通信プロトコルおよび通信データ形式で送信情報の送信を行うことを特徴とする通信端末。
【請求項１５】
前記サーバ装置とは前記ネットワークを通じて無線接続される携帯無線通信端末であることを特徴とする請求項１３または請求項１４に記載の通信端末。
【請求項１６】
無線式の電話機能をも備える携帯無線通信端末であり、前記ネットワークには、前記無線式の電話のネットワークが含まれることを特徴とする請求項１３または請求項１４に記載の通信端末。
【請求項１７】
通信端末とネットワークを通じて接続され、前記通信端末と協働することにより、前記通信端末が、相手方を指定した情報の送信を行うようにするためのサーバ装置であって、
前記通信端末からの接続要求を受けて、前記通信端末と前記ネットワークを通じて接続する接続手段と、
前記通信端末から、送信されてくる送信情報に広告を付加して、前記通信端末により指定された相手方に送信する送信実行手段と、
を備えることを特徴とするサーバ装置。
【請求項１８】
前記通信端末からの情報には、相手方に送信される情報に広告の付加を許容するか否かに関する広告許可制御情報が含まれており、
前記広告許可制御情報に基づいて、前記通信端末により指定された相手方に送信する情報に広告を付加するか否かを決定する手段を備えることを特徴とする請求項１７に記載のサーバ装置。
【請求項１９】
前記通信端末との間では、相手方を指定した情報の送信のための既定の通信方式に関係なく、前記ネットワークに適合する予め定められた通信プロトコルおよび通信データ形式で送信情報の授受を行うようにすると共に、
前記既定の通信方式に適合する前記相手方への情報送信のための処理手段を備えることを特徴とする請求項１７または請求項１８に記載のサーバ装置。
【請求項２０】
前記送信情報は、所定の画像圧縮方式で圧縮された画像データであることを特徴とする請求項１７に記載のサーバ装置。
【請求項２１】
前記通信端末は、携帯無線通信端末であり、前記通信端末とは前記ネットワークを通じて無線接続されることを特徴とする請求項１７〜請求項２０のいずれかに記載のサーバ装置。
【請求項２２】
前記通信端末は、無線式の電話機能をも備える携帯無線通信端末であり、前記ネットワークには、前記無線式の電話のネットワークが含まれることを特徴とする請求項１７〜請求項２０のいずれかに記載のサーバ装置。
【請求項２３】
通信端末とネットワークを通じて接続され、前記通信端末と協働することにより、前記通信端末が指定した情報の送信を行うようにするためのサーバ装置であって、
前記通信端末からの接続要求を受けて、前記通信端末と前記ネットワークを通じて接続する接続手段と、
前記通信端末が指定した情報に広告を付加して、前記通信端末に送信する送信実行手段と、
を備えることを特徴とするサーバ装置。
【請求項２４】
前記通信端末からの接続要求には、広告の付加を許容するか否かに関する広告許可制御情報が含まれており、前記広告許可制御情報に基づいて、前記通信端末により指定された情報に広告を付加するか否かを決定する手段を備えることを特徴とする請求項２３に記載のサーバ装置。
【請求項２５】
通信端末とネットワークを通じて接続され、前記通信端末と協働することにより、前記通信端末が指定した情報の送信を行うようにするためのサーバ装置の通信方法であって、
前記通信端末からの接続要求を受けて、前記通信端末と前記ネットワークを通じて接続し、
前記記通信端末が指定した情報に広告を付加して、前記通信端末に送信する送信する
ことを特徴とする通信方法。
【請求項２６】
前記通信端末からの接続要求には、広告の付加を許容するか否かに関する広告許可制御情報が含まれており、前記広告許可制御情報に基づいて、前記通信端末により指定された情報に広告を付加するか否かを決定することを特徴とする請求項２５に記載の通信方法。
【請求項２７】
ネットワークを通じてサーバ装置と接続され、前記サーバ装置と協働することにより、情報の受信を行う通信端末であって、
受信する情報に広告の付加を許容するか否かに関する指示を入力するための指示入力手段と、
前記指示入力手段で入力された指示に応じて、前記広告の付加を許容するか否かに関する広告許可制御情報を前記サーバ装置に送信する送信手段と
を備えることを特徴とする通信端末。